【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
ユーザリクエストを充足させるため複数のエンドユーザデバイスからエンドユーザデバイスを選択する方法であって、
デバイスグループを特定するデータをポータルアグリゲータに格納するステップであって、前記デバイスグループを特定するデータは、前記デバイスグループに関連する少なくとも１人のユーザを特定するデータと、前記デバイスグループに関連する複数のエンドユーザデバイスのそれぞれについて少なくとも１つの機能を特定するデータとを有する、前記格納するステップと、
前記ポータルアグリゲータが、前記ユーザからリクエストを受信するステップであって、前記リクエストは、前記ユーザを特定する情報とアクションを特定する情報とを有する、前記受信するステップと、
前記ポータルアグリゲータが、前記ユーザを特定する情報に基づき前記ユーザに関連するデバイスグループを特定するステップと、
前記ポータルアグリゲータが、前記特定されたデバイスグループから前記アクションを実行する機能を有するエンドユーザデバイスのリストを生成するステップと、
前記ポータルアグリゲータが、前記ユーザから前記エンドユーザデバイスの少なくとも一部のプライオリティ情報を受信するステップと、
前記ポータルアグリゲータが、前記プライオリティ情報に基づき前記リストに対してフィルタリング及びソーティングの少なくとも１つを実行するステップと、
前記ポータルアグリゲータが、前記エンドユーザデバイスのフィルタリング及び／又はソーティングされたリストから前記アクションを実行するエンドユーザデバイスを選択するステップと、
前記アクションを実行するためのコマンドを前記ポータルアグリゲータから前記選択されたエンドユーザデバイスに送信するステップと、
を有する方法。
【請求項２】
前記ポータルアグリゲータが、前記エンドユーザデバイスの少なくとも一部のステータス情報を受信するステップをさらに有し、
前記フィルタリング及びソーティングの少なくとも１つは、前記ステータス情報に基づく、請求項１記載の方法。
【請求項３】
前記ポータルアグリゲータが、前記エンドユーザデバイスの少なくとも一部のエンドユーザデバイス地理的位置情報を受信するステップをさらに有し、
前記フィルタリング及びソーティングの少なくとも１つは、前記エンドユーザデバイス地理的位置情報に基づく、請求項１記載の方法。
【請求項４】
前記ポータルアグリゲータが、前記ユーザのユーザ地理的位置情報を受信するステップをさらに有し、
前記フィルタリング及びソーティングの少なくとも１つはさらに、前記ユーザ地理的位置情報に基づく、請求項３記載の方法。
【請求項５】
前記ポータルアグリゲータが、前記エンドユーザデバイスの少なくとも一部のストレージスペース情報を受信するステップをさらに有し、
前記フィルタリング及びソーティングの少なくとも１つは、前記ストレージスペース情報に基づく、請求項１乃至４何れか一項記載の方法。
【請求項６】
前記エンドユーザデバイスのリストを生成するステップは、前記アクションを特定する情報と、前記特定されたデバイスグループの複数のエンドユーザデバイスのそれぞれの少なくとも１つの機能とを比較することを含む、請求項１乃至５何れか一項記載の方法。
【請求項７】
前記ポータルアグリゲータが、エンドユーザデバイスのエンドユーザデバイス情報を受信するステップと、
前記ポータルアグリゲータが、前記エンドユーザデバイス情報に基づき前記エンドユーザデバイスと前記デバイスグループとを関連付けるステップと、
をさらに有する、請求項１乃至６何れか一項記載の方法。
【請求項８】
前記エンドユーザデバイス情報は、前記エンドユーザデバイスの少なくとも１つの機能を特定する情報を有する、請求項７記載の方法。
【請求項９】
前記エンドユーザデバイス情報は、ユーザにより前記ポータルアグリゲータに手動により提供される、請求項７又は８記載の方法。
【請求項１０】
前記エンドユーザデバイス情報は、前記エンドユーザデバイスにより前記ポータルアグリゲータに提供される、請求項７又は８記載の方法。
【請求項１１】
複数のデバイスグループのそれぞれを特定する情報を前記ポータルアグリゲータに格納するステップをさらに有する、請求項１乃至１０何れか一項記載の方法。
【請求項１２】
少なくとも１つのデバイスグループは、少なくとも２人のユーザに関連付けされる、請求項１１記載の方法。
【請求項１３】
前記デバイスグループの少なくとも２つは、同一のエンドユーザデバイスを有する、請求項１１又は１２記載の方法。
【請求項１４】
前記リクエストはさらに、第２ユーザを特定する情報と、第２アクションを特定する情報とをさらに有し、
前記ユーザを特定する情報は、第１デバイスグループを特定するのに利用され、前記第２ユーザを特定する情報は、第２デバイスグループを特定するのに利用される、請求項１１乃至１３何れか一項記載の方法。
【請求項１５】
前記エンドユーザデバイスは、前記ユーザに関連するパターンに基づき前記エンドユーザデバイスのリストから選択される、請求項１乃至１４何れか一項記載の方法。
【請求項１６】
前記デバイスグループは、異なるベンダーからのエンドユーザデバイスを有する、請求項１乃至１５何れか一項記載の方法。
【請求項１７】
ユーザリクエストを充足させるため複数のエンドユーザデバイスからエンドユーザデバイスを選択するポータルアグリゲータであって、
デバイスグループを特定するデータを格納するコンピュータ記憶媒体であって、前記デバイスグループを特定するデータは、前記デバイスグループに関連する少なくとも１人のユーザを特定するデータと、前記デバイスグループに関連する複数のエンドユーザデバイスのそれぞれについて少なくとも１つの機能を特定するデータとを有する、前記コンピュータ記憶媒体と、
前記ユーザからリクエストを受信するステップであって、前記リクエストは、前記ユーザを特定する情報とアクションを特定する情報とを有する、前記受信するステップと、
前記ユーザを特定する情報に基づき前記ユーザに関連するデバイスグループを特定するステップと、
前記特定されたデバイスグループから前記アクションを実行する機能を有するエンドユーザデバイスのリストを生成するステップと、
前記ユーザから前記エンドユーザデバイスの少なくとも一部のプライオリティ情報を受信するステップと、
前記プライオリティ情報に基づき前記リストに対してフィルタリング及びソーティングの少なくとも１つを実行するステップと、
前記エンドユーザデバイスのフィルタリング及び／又はソーティングされたリストから前記アクションを実行するエンドユーザデバイスを選択するステップと、
前記アクションを実行するためのコマンドを前記選択されたエンドユーザデバイスに送信するステップと、
を実行するよう構成されるプロセッサと、
を有するポータルアグリゲータ。
【請求項１８】
ユーザリクエストを充足させるため複数のエンドユーザデバイスからエンドユーザデバイスを選択するシステムであって、
データ通信ネットワークと、
前記データ通信ネットワークに接続されるポータルアグリゲータと、
前記データ通信ネットワークを介し前記ポータルアグリゲータと通信する前記複数のエンドユーザデバイスと、
を有し、
前記ポータルアグリゲータは、
デバイスグループを特定するデータを格納するコンピュータ記憶媒体であって、前記デバイスグループを特定するデータは、前記デバイスグループに関連する少なくとも１人のユーザを特定するデータと、前記デバイスグループに関連する複数のエンドユーザデバイスのそれぞれについて少なくとも１つの機能を特定するデータとを有する、前記コンピュータ記憶媒体と、
前記ユーザからリクエストを受信するステップであって、前記リクエストは、前記ユーザを特定する情報とアクションを特定する情報とを有する、前記受信するステップと、
前記ユーザを特定する情報に基づき前記ユーザに関連するデバイスグループを特定するステップと、
前記特定されたデバイスグループから前記アクションを実行する機能を有するエンドユーザデバイスのリストを生成するステップと、
前記ユーザから前記エンドユーザデバイスの少なくとも一部のプライオリティ情報を受信するステップと、
前記プライオリティ情報に基づき前記リストに対してフィルタリング及びソーティングの少なくとも１つを実行するステップと、
前記エンドユーザデバイスのフィルタリング及びソーティングされたリストから前記アクションを実行するエンドユーザデバイスを選択するステップと、
前記アクションを実行するためのコマンドを前記選択されたエンドユーザデバイスに送信するステップと、
を実行するよう構成されるプロセッサと、
を有するシステム。